(57)【要約】      （修正有）【課題】ゴルフ場等で使用する移動、手すりを設けたコンベアの安全性を高め、使用者が単独であっても、緊急時により確実且つ容易にコンベアを緊急停止できるようにして、人身傷害を未然に防止する安全装置を提供する。【解決手段】欄干５に移動手すり６を回転自在に移動手すりを備えたコンベアに於いて、前記移動手すり６を回転自在に支持する欄干５の内側壁面に、所望の長さの非常用手すり１４をその長手方向へ一定距離だけ移動可能に支持固定すると共に、非常用手すり１４にコンベアの緊急停止スイッチ１６のスイッチ機構を作動させるスイッチ移動部を設け、緊急時に人が非常用手すり１４を移動させることにより前記スイッチ駆動部を介して緊急停止スイッチ１６を作動させる。【選択図】図１
0003144945.tif 000002
【実用新案登録請求の範囲】
【請求項１】
移動手すり（６）を回転自在に備えたコンベアに於いて、前記移動手すり（６）を回転自在に支持する欄干（５）の内側壁面に、所望の長さの非常用手すり（１４）を移動可能に支持固定すると共に、非常用手すり（１４）にコンベアの緊急停止スイッチ（１６）のスイッチ機構を作動させるスイッチ駆動部（１９）を設け、緊急時に人が非常用手すり（１４）を移動させることにより前記スイッチ駆動部（１９）を介して緊急停止スイッチ（１６）を作動させることを特徴とする移動手すりを備えたコンベアの安全装置。
【請求項２】
緊急時に非常用手すり（１４）を移動手すり（６）の移動方向と同一若しくは逆の方向に一定距離だけ移動させるようにした請求項１に記載の移動手すりを備えたコンベアの安全装置。
【請求項３】
緊急時に非常用手すり（１４）を一定の角度だけ回転移動させるようにした請求項１に記載の移動手すりを備えたコンベアの安全装置。
【請求項４】
コンベアを踏段を用いたエスカレータ又は搬送用ベルトを用いたコンベアとすると共に、非常用手すり（１４）を長尺のパイプ材により形成し、当該非常用手すり（１４）を一側の欄干（５）の内側壁面に支持固定し、また、前記緊急停止スイッチ（１６）及びスイッチ駆動部（１９）を非常用手すり（１４）の一側の端部に設けるようにした請求項１、請求項２又は請求項３に記載の移動用手すりを備えたコンベアの安全装置。
【請求項５】
非常用手すり（１４）の一側の端部をスライド止め金具（２２）内へ挿入し、スプリング（２０）の弾性力により一方向へ所望の押圧力を加えると共に、調整ねじ（２１）により前記押圧力を調整するようにした請求項４に記載の移動用手すりを備えたコンベアの安全装置。
【考案の詳細な説明】
【技術分野】
【０００１】
本考案は、エスカレータや動く歩道、作業場の搬送用コンベア等の移動手すりを備えたコンベアの安全装置の改良に関するものであり、主としてゴルフ場矢作業場等のコンベアに用いられるものである。
【背景技術】
【０００２】
例えば、エスカレータや動く歩道、作業場の搬送用コンベア等は、通常図６及び図７に示すように、主枠１の上部乗降床２と下部乗降床３との間にエンドレスに連結された複数の踏段（又は搬送ベルト）４を回転自在に設置すると共に、この踏段（又は搬送ベルト）４の回転方向に沿った両側に欄干５を立て、その周縁に上記踏段（又は搬送ベルト）４と同一方向に同一速度で回動する移動手すり６を設けることにより構成されている。
【０００３】
また、このコンベアの上端部か或いは下端部の何れかに、安全装置としての非常停止スイッチ７が設けられており、当該手動操作式の非常停止スイッチ７を操作することによりコンベアが緊急停止されることとなる。
【０００４】
更に、万一の事故、例えば前記踏台４と欄干５の下部との隙間に人の靴や足が挟まった場合に、欄干５の変形量（歪み量）を検出し、これによってコンベアを自動停止させるようにした自動操作式の非常停止スイッチ等が設けられている。
【０００５】
ところで、上記従前のコンベアにあっては、一般に、手動操作式の非常停止スイッチ７がコンベアの上端部か或いは下端部に設けられている。そのため、使用者（乗客）が一人で他に人が全く居ないような場合には、事故が発生しても容易に非常停止スイッチ７を操作することが出来ず、結果として重大な人身事故を招来することになる。
【０００６】
一方、後者の自動操作式の非常停止スイッチに於いても、スイッチ感度を高めると誤動作が頻発することになり、また、逆にスイッチ感度を低くすると、停止はしたものの人傷が大きくなり過ぎると云う問題がある。尚、図６及び図７に於いて、８は駆動機構、９は制御盤である。
【０００７】
【特許文献１】特開平６−２７１２６３号公報
【特許文献２】特開２００２−１４５５７０号公報
【考案の開示】
【考案が解決しようとする課題】
【０００８】
本考案は、従前のこの種コンベアに於ける上述の如き問題を解決せんとするものであり、ゴルフ場や作業現場等で使用する比較的短尺のコンベアにおいて、使用者が単独の場合であっても、事故発生に際して使用者自身が迅速且つ確実にコンベアを非常停止させることが出来、しかも構造が簡単で安価に製造できるようにした移動手すりを備えたコンベアの安全装置を提供することを考案の主たる目的とするものである。
【課題を解決するための手段】
【０００９】
請求項１の考案は、移動手すり６を回転自在に備えたコンベアに於いて、前記移動手すり６を回転自在に支持する欄干５の内側壁面に、所望の長さの非常用手すり１４を移動可能に支持固定すると共に、非常用手すり１４にコンベアの緊急停止スイッチ１６のスイッチ機構を作動させるスイッチ駆動部１９を設け、緊急時に人が非常用手すり１４を移動させることにより前記スイッチ駆動部１９を介して緊急停止スイッチ１６を作動させることを考案の基本構成とするものである。
【００１０】
請求項２の考案は請求項１の考案に於いて、緊急時に非常用手すり１４を移動手すり６の移動方向と同一若しくは逆の方向に一定距離だけ移動させるようにしたものである。
【００１１】
請求項３の考案は請求項１又は請求項２の考案に於いて、緊急時に非常用手すり１４を一定角度だけ回転移動させるようにしたものである。
【００１２】
請求項４の考案は請求項１、請求項２又は請求項３の考案に於いて、コンベアを踏段を用いたエスカレータ又は搬送用ベルトを用いたコンベアとすると共に、非常用手すり１４を長尺のパイプ材により形成し、当該非常用手すり１４を一側の欄干５の内側壁面に支持固定し、また、前記緊急停止スイッチ１６及びスイッチ駆動部１９を非常用手すり１４の一側の端部に設けるようにしたものである。
【００１３】
請求項５の考案は、請求項４の考案に於いて、非常用手すり１４の一側の端部を、スライド止め金具２２内へ挿入し、スプリング２０の弾性力により一方向へ所望の押圧力を加えると共に、調整ねじ２１により前記押圧力を調整するようにしたものである。
【考案の効果】
【００１４】
本考案に於いては、移動手すりを備えたコンベアの欄干５の内側に、移動手すり６の移動方向に長尺の非常用手すり１４を移動可能に支持固定し、非常時には、人が非常用手すり１４を持ってこれを引っ張たり、或いは一定角度だけ回転移動させることにより、コンベアの駆動装置を緊急停止させる構成としている。
そのため、使用者が一人であっても、自らの力で迅速且つ円滑にコンベアを停止させることができ、人身事故を未然に防止することが出来る。また、通常は、非常用手すり１４を握るだけでこれがコンベアの進行方向へ引っ張られることになり、より確実にコンベアを緊急停止させることができる。
【考案を実施するための最良の形態】
【００１５】
以下、図面に基づいて本考案の実施形態を説明する。図１は本考案に係るコンベアの内側の側面概要図であり、図２は図１のＡ−Ａ視断面概要図である。また、図１及び図２は、コンベアを所謂エスカレータとした場合を示すものであり、各図に於いて、１は主枠、２は上部乗降床、３は下部乗降床、４は踏段（又は搬送ベルト）、５は欄干、６は移動手すり、７は非常停止スイッチ、８は駆動機構、９は制御盤、１０は欄干パネル、１１は内レッジ、１２は外デッキ、１３はスカートガードパネルである。尚、図１及び図２に於いて前記図６と同じ部位には、これを同じ参照番号が使用されている。
【００１６】
本考案に於いては、図１及び図２に示すように、移動手すり６を支持する欄干５の内側即ち踏段４側の欄干パネル１０に、非常用手すり１４が矢印方向へ一定距離だけ移動可能に支持固定されている。
即ち、当該非常用手すり１４は、欄干５の何れか一方又は両方の欄干パネル１０の適宜の高さの箇所に設けられており、使用者がこの非常用手すり１４を把持して引っ張ることにより、移動手すり６の進行方向（又はその逆方向）に所定量だけ移動し、これによって、後述するように緊急停止スイッチ１６が作動される。
【００１７】
具体的には、非常用手すり１４としては外径２２〜２８ｍｍ、長さ５〜５．５ｍ程度の鋼管（２０Ａ〜２５Ａ）が使用されており、支持金具１５により矢印方向へ摺動可能に支持固定されている。
また、非常用手すり１４は、欄干５の高さ方向の略中央位置に配設されており、使用者が転倒したり、或いは靴先が踏段やベルト４に挟まったりした時に、容易に非常用手すり１４を把持できるように設けられている。
更に、非常用手すり１４の一端には緊急停止スイッチ１６が設けられており、非常用手すり１４が矢印方向へ一定距離だけ移動することにより、緊急停止スイッチ１６が作動してコンベアが緊急停止されることになる。
【００１８】
図３は、本考案の他の実施形態を示すものであり、本考案を水平型のベルトコンベアへ適用した場合の移動手すり６の部分の側面概要図である。
移動手すり６は駆動部１７によって矢印方向へ回動されており、これを同速度で搬送ベルト４が同方向へ移動している。
【００１９】
非常用手すり１４は、支持金具１５を介して欄干５に設けた欄干パネル１０の外表面に矢印方向へ一定距離だけ移動可能に支持されており、その末端には緊急停止スイッチ１６が設けられている。
【００２０】
当該緊急停止スイッチ１６は、図４及び図５に示すようにリミットスイッチ１８と、非常用手すり１４に一端を固定したリミットスイッチ駆動部１９とから構成されており、非常用手すり１４を矢印方向へ移動させることにより、駆動部１９を介してリミットスイッチ１８がＯＮ（又はＯＦＦ）にされ、これによって搬送ベルト４及び移動手すり６の回動が緊急停止される。
【００２１】
また、非常用手すり１４の末端は主枠１に固定された筒状のスライド止め金具２２内へ挿入されており、スプリング２０を介設して長手方向に一定強度の弾性力を加えた状態で所定の位置に支持固定されており、調整ねじ２１の締込み量を調整することにより非常用手すり１４に加わる弾性力が調節されている。尚、２３は止めナットである。
【００２２】
更に、前記ず１乃至ず５の各実施形態に於いては、非常用手すり１４をベルトコンベアの進行方向又はこれと逆の方向へ一定距離だけ引っ張ることにより、スイッチ機構を作動させてコンベアを停止させる構成としているが、非常用手すり１４を握ってこれを一定角度だけ回転移動させることにより、スイッチ機構を作動させてコンベアを停止させる構成としてもよい。
加えて、コンベアそのものは、作業現場に設置する簡易型のコンベアであっても良く、また、水平式コンベアであっても、或いは傾斜式コンベアであっても良いことはもちろんである。
【００２３】
次に、本考案に係るコンベアの作動について説明する。
コンベアの使用中に、万一使用者に不足の事態、例えば転倒や衣類の挟み込み等が生じると、使用者は非常用手すり１４を持ち、これを矢印イ又は矢印ロの方向へ引っ張る。この動作により、非常用手すり１４はスプリング２０の弾性力に拡して一定距離だけ矢印イ又はロ方向へ移動され、これによりリミットスイッチ駆動部１９がリミットスイッチ１８へ抵触又はリミットスイッチ１８から離隔して、リミットスイッチ１８が作動する。その結果、搬送ベルト４の駆動機構や移動手すり６の駆動部１７が緊急停止される。
【００２４】
前記非常用手すり１４は、通常は手に触れてはならないものであり、そのことは、予め使用者に伝達されている。
また、本実施形態に於いては、片側の欄干５又は欄干パネル１０に非常用手すり１４を設けているが、両側の欄干５又は欄干パネル１０に設けるようにしてもよい。
更に、本実施形態では、非常用手すり１４を矢印イ又はロの何れかの方向へ引っ張ることにより緊急停止スイッチ１６を作動させるようにしているが、何れか一方向のみへの引っ張りによって緊急停止スイッチ１６が作動するよう構成することも可能である。
加えて、緊急停止スイッチ１６としては、マイクロスイッチ以外の如何なるスイッチ機構例えば近接スイッチ等であってもよいことは勿論である。
【００２５】
本考案はエスカレータや動く歩道以外に、工場や地下拡道等で人の移動に使用するコンベアにも適用できるものである。
【図面の簡単な説明】
【００２６】
【図１】本考案の第１実施形態に係るコンベアの内側の側面概要図である。
【図２】図１のＡ−Ａ視断面概要図である。
【図３】本考案の第２実施形態に係るコンベアの内側の側面概要図である。
【図４】図３のＢ−Ｂ視断面概要図である。
【図５】図４のＣ−Ｃ視断面概要図である。
【図６】従前のコンベア（エスカレータ）の断面概要図である。
【図７】従前のコンベア（エスカレータ）の下方部の針断面図である。
【符号の説明】
【００２７】
１    主枠
２    上部乗降床
３    下部乗降床
４    踏段（又は搬送ベルト）
５    欄干
６    移動手すり
７    非常停止スイッチ
８    駆動機構
９    制御盤
１０  欄干パネル
１１  内レッジ
１２  外デッキ
１３  スカートガードパネル
１４  非常用手すり
１５  支持金具
１６  緊急停止スイッチ
１７  駆動部
１８  リミットスイッチ
１９  スイッチ駆動部
２０  スプリング
２１  調整ねじ
２２  スライド止め金具
２３  止めナット
【図１】
0003144945.tif 000003
【図２】
0003144945.tif 000004
【図３】
0003144945.tif 000005
【図４】
0003144945.tif 000006
【図５】
0003144945.tif 000007
【図６】
0003144945.tif 000008
【図７】
0003144945.tif 000009